(57)【要約】【課題】受信感度に影響を与えることなく送信電力を検波し、回路を小型、低消費、低コストにする。【解決手段】電界効果のトランジスタＴｒ１〜Ｔｒ４は、送信回路と接続される端子１１ａから入力される送信電力を、アンテナと接続される端子１４に出力する。電界効果のトランジスタＴｒ５〜Ｔｒ９は、トランジスタＴｒ１〜Ｔｒ４と時分割してオン／オフし、端子１４（アンテナ）から入力される受信電力を、受信回路と接続される端子１２ａに出力する。検波回路１３は、送信時に、トランジスタＴｒ１〜Ｔｒ４からトランジスタＴｒ５〜Ｔｒ９に漏洩する送信電力を検波する。【選択図】        図１
2004363862.tif 000002
【特許請求の範囲】
【請求項１】
時分割二重通信が行われる通信装置に用いられるアンテナ切り替え回路において、
送信回路とアンテナとの間に接続され、前記送信回路から出力される送信電力を前記アンテナへ選択的に出力するスイッチと、
前記アンテナと受信回路との間にソース／ドレイン端子において直列に多段接続され、前記スイッチとの間で時分割されてオン／オフし、前記アンテナによって受信される受信電力を前記受信回路に出力する複数の電界効果トランジスタと、
前記電界効果トランジスタに接続され、送信時に前記スイッチから前記電界効果トランジスタに漏洩する前記送信電力を検波する検波回路と、
を有することを特徴とするアンテナ切り替え回路。
【請求項２】
前記検波回路は、
漏洩する前記送信電力を検波するダイオードと、
前記ダイオードにバイアス電圧を供給するバイアス回路と、
を有することを特徴とする請求項１記載のアンテナ切り替え回路。
【請求項３】
前記送信回路及び前記受信回路はそれぞれ複数存在し、前記スイッチ及び前記複数の電界効果トランジスタは、各々の前記送信回路及び前記受信回路に対応して設けられることを特徴とする請求項１記載のアンテナ切り替え回路。
【請求項４】
前記スイッチ、前記電界効果トランジスタ、及び前記検波回路は、同一の半導体基板上に形成されることを特徴とする請求項１記載のアンテナ切り替え回路。
【請求項５】
外部と信号をやり取りするための外部端子と、
前記外部端子と前記アンテナとの間に接続される試験用スイッチと、
をさらに有することを特徴とする請求項１記載のアンテナ切り替え回路。
【請求項６】
前記スイッチは、ソース／ドレイン端子において直列に多段接続された複数の送信用電界効果トランジスタを含むことを特徴とする請求項１記載のアンテナ切り替え回路。
【請求項７】
送信信号を出力する送信回路と受信信号が供給される受信回路とを含み、時分割二重通信を行う通信装置において、
前記送信回路とアンテナとの間に接続され、前記送信回路から出力される送信電力を前記アンテナへ選択的に出力するスイッチと、
前記アンテナと前記受信回路との間にソース／ドレイン端子において直列に多段接続され、前記スイッチとの間で時分割されてオン／オフし、前記アンテナによって受信される受信電力を前記受信回路に出力する複数の電界効果トランジスタと、
前記電界効果トランジスタに接続され、送信時に前記スイッチから前記電界効果トランジスタに漏洩する前記送信電力を検波する検波回路と、
検波された前記送信電力の値に応じて、前記送信回路から前記スイッチに出力される前記送信電力を制御する電力制御回路と、
を有することを特徴とする通信装置。
【請求項８】
前記検波回路は、
漏洩する前記送信電力を検波するダイオードと、
前記ダイオードにバイアス電圧を供給するバイアス回路と、
を有することを特徴とする請求項７記載の通信装置。
【請求項９】
前記送信回路及び前記受信回路はそれぞれ複数存在し、前記スイッチ及び前記複数の電界効果トランジスタは、各々の前記送信回路及び前記受信回路に対応して設けられることを特徴とする請求項７記載の通信装置。
【請求項１０】
前記スイッチ、前記電界効果トランジスタ、及び前記検波回路は、同一の半導体基板上に形成されることを特徴とする請求項７記載の通信装置。
【請求項１１】
外部と信号をやり取りするための外部端子と、
前記外部端子と前記アンテナとの間に接続される試験用スイッチと、
をさらに有することを特徴とする請求項７記載の通信装置。
【請求項１２】
前記スイッチは、ソース／ドレイン端子において直列に多段接続された複数の送信用電界効果トランジスタを含むことを特徴とする請求項７記載の通信装置。
【発明の詳細な説明】
【０００１】
【発明の属する技術分野】
本発明はアンテナ切り替え回路及び通信装置に関し、特に、時分割二重通信が行われる通信装置に用いられるアンテナ切り替え回路及び時分割二重通信を行う通信装置に関する。
【０００２】
【従来の技術】
携帯電話などの通信装置に用いられる通信方式に、ＴＤＤ（Ｔｉｍｅ  Ｄｉｖｉｓｉｏｎ  Ｄｕｐｌｅｘ：時分割二重）通信方式がある。ＴＤＤ通信方式では、送受信を時間分割して高速で切り替え、見かけ上の同時送受信を実現している。このような通信装置では、通信装置内部で送信電力を検出して、送信電力が適正なレベルで無線送信されるようになっている。
【０００３】
図１０は、従来の携帯電話の送信出力検波回路を示した回路図である。図に示すように送信出力検波回路は、スイッチ１０１、送信回路１０２、アイソレータ１０３、受信機１０４、及びアンテナ１０５を有している。
【０００４】
スイッチ１０１は、送信回路１０２とアンテナ１０５の接続及び受信機１０４とアンテナ１０５の接続を時分割して交互に行う。スイッチ１０１は、送信回路１０２から出力される送信電力をアンテナ１０５に出力し、アンテナ１０５によって受信された受信電力を受信機１０４に出力する。
【０００５】
送信回路１０２は、電力増幅器１０２ａ、カプラ１０２ｂ、検波回路１０２ｃ、及び送信電力制御回路１０２ｄを有している。電力増幅器１０２ａは、送信電力を増幅し、カプラ１０２ｂに出力する。カプラ１０２ｂは、電力増幅器１０２ａから出力される送信電力をアイソレータ１０３へ出力すると共に、送信電力の一部をカップリングし、ショットキーバリアダイオードなどで構成された検波回路１０２ｃに出力する。検波回路１０２ｃは、カプラ１０２ｂから出力される送信電力を電圧に変換し、送信電力制御回路１０２ｄに出力する。送信電力制御回路１０２ｄは、検波回路１０２ｃから出力される電圧値と、送信電力値の基準となる基準電圧値とを比較し、電力差分相当の電圧値を基準電圧に加減して電力増幅器１０２ａに出力する。電力増幅器１０２ａは、送信電力制御回路１０２ｄから出力される電圧値に応じて、送信電力を増幅する。すなわち、送信回路１０２は、電力増幅器１０２ａから出力される送信電力をフィードバックし、適正なレベルでアンテナ１０５に出力するようになっている。
【０００６】
しかし、上記回路では、送信電力の一部をカップリングするために送信経路にカプラを挿入する必要があるため、送信電力に損失を生じ、その分を考慮した送信電力の増幅が必要である。そのため、消費電力が増加してしまう。
【０００７】
そこで、送信電力の増加を必要とせず、送信電力の検出が可能な回路がある（例えば、特許文献１参照）。図１１は、従来の送信電力増加を抑えた送信出力検波回路を示した回路図である。図に示すように送信出力検波回路は、アンテナ１１１、アンテナフィルタ１１２、ＴＤＤスイッチ１１３、送信電力増幅器１１４、送信ミキサ１１５、変調器（ＭＯＤ）１１６、受信系初段増幅器１１７、受信第１ミキサ１１８、受信増幅部１１９、受信第２ミキサ１２０、復調器（ＤＥＭ）１２１、単極双投スイッチ１２２、検波器１２３、及びローカル発振器１２４を有している。
【０００８】
ＴＤＤスイッチ１１３は、送信時には、送信経路（送信電力増幅器１１４側）に接続され、受信時には、受信経路（受信系初段増幅器１１７側）に接続される。受信系初段増幅器１１７の後に挿入されている単極双投スイッチ１２２は、送信時には、検波器１２３に接続され、受信時には、受信第１ミキサ１１８に接続される。よって、送信時に、ＴＤＤスイッチ１１３から受信系初段増幅器１１７の経路に漏洩する送信電力は、検波器１２３によって検波される。そして、漏洩した送信電力を検波した値に応じて、送信回路（送信電力増幅器１１４、送信ミキサ１１５、ＭＯＤ１１６）に出力する電力値を制御するようになっている。
【０００９】
すなわち、図１１で示す回路では、受信経路に設けた単極双投スイッチ１２２によって、送信時に、受信系初段増幅器１１７の出力を検波器１２３に接続し、漏洩する送信電力を検波する。これにより、送信電力の一部をフィードバックするための分を考慮した増幅が不要となり、消費電力を低減している。
【００１０】
他の例の送信出力検波回路を示す。図１２は、従来の送信電力増加を抑えた送信出力検波回路を示した他の例の回路図である。図１２において、図１１と同じものには同じ符号が付してある。図１２の回路では、受信系初段増幅器１１７の後に単極単投スイッチ１２５と受信第１ミキサ１１８が接続されている。単極単投スイッチ１２５は、送信時にオンし、ＴＤＤスイッチ１１３、受信系初段増幅器１１７の経路で漏洩する送信電力は、マッチング回路（ＭＮ）１２６を介し、検波器１２３で検波される。そして、漏洩した送信電力を検波した値に応じて、送信回路に出力する送信電力値を制御するようになっている。
【００１１】
すなわち、図１２で示す回路では、受信経路に設けた単極単投スイッチ１２５によって、送信時に、受信系初段増幅器１１７の出力をマッチング回路１２６、検波器１２３に接続し、漏洩する送信電力を検波する。これにより、送信電力の一部をフィードバックするための分を考慮した増幅が不要となり、消費電力を低減している。
【００１２】
【特許文献１】
特開平１０−１７３５４７号公報（第３頁，第４頁、第１図，第２図）
【００１３】
【発明が解決しようとする課題】
しかし、漏洩した送信電力を検波器に出力するための切り替えスイッチを受信経路に設けるため受信電力が損失し、受信感度に影響が出てしまう。また、別途切り替えスイッチを設けているために回路が大きくなるという問題点があった。
【００１４】
本発明はこのような点に鑑みてなされたものであり、受信感度に影響を与えることなく送信電力を検波し、回路を小型、低消費、低コストにすることができるアンテナ切り替え回路及び通信装置を提供することを目的とする。
【００１５】
【課題を解決するための手段】
本発明では上記課題を解決するために、時分割二重通信が行われる通信装置に用いられるアンテナ切り替え回路において、送信回路とアンテナとの間に接続され、前記送信回路から出力される送信電力を前記アンテナへ選択的に出力するスイッチと、前記アンテナと受信回路との間にソース／ドレイン端子において直列に多段接続され、前記スイッチとの間で時分割されてオン／オフし、前記アンテナによって受信される受信電力を前記受信回路に出力する複数の電界効果トランジスタと、前記電界効果トランジスタに接続され、送信時に前記スイッチから前記電界効果トランジスタに漏洩する前記送信電力を検波する検波回路と、を有することを特徴とするアンテナ切り替え回路が提供される。
【００１６】
このようなアンテナ切り替え回路によれば、送信時にスイッチから複数の電界効果トランジスタに漏洩する送信電力を、電界効果トランジスタに接続される検波回路によって検波する。これにより、漏洩する送信電力の出力を検波回路に切替えるための切り替えスイッチが不要となる。
【００１７】
【発明の実施の形態】
以下、本発明の実施の形態を図面を参照して説明する。図２は、アンテナ切り替え回路を適用した携帯電話の回路図である。図に示す携帯電話は、ＴＤＭＡ方式で動作し、アンテナ切り替え回路１、アンテナ２、積分器３、送信電力制御回路４、送信機５、及び受信機６を有している。
【００１８】
アンテナ切り替え回路１は、スイッチ１１、スイッチ１２、検波回路１３を有している。スイッチ１１，１２は、ソース／ドレイン端子において直列に多段接続された電界効果トランジスタから構成されている（後述詳細）。スイッチ１１は、アンテナ２と送信機５の間に接続されている。スイッチ１２は、アンテナ２と受信機６の間に接続されている。スイッチ１１，１２は、ＴＤＭＡ方式により、時分割されて交互にオン／オフする。スイッチ１１は、送信時にオンする。送信機５から出力される送信電力は、アンテナ２に出力される。スイッチ１２は、受信時にオンする。アンテナ２に受信された受信電力は、受信機６に出力される。検波回路１３は、スイッチ１２を構成している多段接続されたどれか１つの電界効果トランジスタのソース又はドレイン端子と積分器３とに接続されている。検波回路１３は、送信時にスイッチ１１がオンしてスイッチ１２がオフしたとき、スイッチ１２に漏洩する送信機５の送信電力を検波し、積分器３を介して送信電力制御回路４に出力する。
【００１９】
積分器３は、アンテナ切り替え回路１によって検波された送信電力を平滑化し、その電圧値（検波電圧値）を送信電力制御回路４に出力する。
送信電力制御回路４は、積分器３から出力される検波電圧値に応じて、送信機５が出力する送信電力値を制御する。送信電力制御回路４は、検波電圧値と、送信機５から出力される送信電力の基準となる基準電圧値とを比較する。そして、その差分の電圧値を基準電圧値に加減し、送信機５から出力される送信電力が一定となるように制御する。
【００２０】
送信機５は、信号を無線送信するための回路群からなる。送信機５は、例えば、音声信号を無線通信できるように変調処理を行い、無線通信できるように電力増幅をする。図に示す送信機５は、電力増幅器５ａ、及びアイソレータ５ｂを有している。電力増幅器５ａは、送信電力制御回路４の制御に応じて送信電力を制御し、アイソレータ５ｂに出力する。アイソレータ５ｂは、電力増幅器５ａから出力される送信電力をスイッチ１１に出力する。
【００２１】
受信機６は、アンテナ２によって受信された受信電力を処理する回路群からなる。受信機６は、例えば、低雑音増幅器、復調器を有し、受信した受信電力を増幅して送られた信号を復元する。
【００２２】
以上より携帯電話は、送信時に、スイッチ１１がオンしてスイッチ１２がオフしたとき、スイッチ１２に漏洩する送信電力を検波する。そして、アンテナ２から適切な強度の電波が出力されるように、検波された送信電力の電圧値に応じて、送信機５から出力される送信電力を制御する。
【００２３】
アンテナ切り替え回路１の詳細について説明する。図１は、図２のアンテナ切り替え回路の回路図である。図に示すように、アンテナ切り替え回路１は、スイッチ１１、スイッチ１２、検波回路１３、端子１１ａ，１１ｂ、端子１２ａ，１２ｂ、端子１３ｄ〜１３ｆ、端子１４〜１７、及び抵抗Ｒ１０〜Ｒ１２を有している。
【００２４】
スイッチ１１は、トランジスタＴｒ１〜Ｔｒ４、抵抗Ｒ１〜Ｒ４を有している。トランジスタＴｒ１〜Ｔｒ４は、電界効果トランジスタであり、例えば、ＪＦＥＴ（Ｊｕｎｃｔｉｏｎ  Ｆｉｅｌｄ  Ｅｆｆｅｃｔ  Ｔｒａｎｓｉｓｔｏｒ）やＨＥＭＴ（Ｈｉｇｈ  Ｅｌｅｃｔｒｏｎ  Ｍｏｂｉｌｉｔｙ  Ｔｒａｎｓｉｓｔｏｒ）である。
【００２５】
トランジスタＴｒ１〜Ｔｒ４は、ソース／ドレイン端子において、直列に多段接続されている。直列に多段接続されたトランジスタの一方の端であるトランジスタＴｒ１のソースには、端子１１ａと抵抗Ｒ１０が接続されている。端子１１ａは、送信機５の出力と接続され、送信電力が入力される。抵抗Ｒ１０は、他端を端子１５と接続されており、トランジスタＴｒ１〜Ｔｒ４を駆動するためのバイアスが入力される。また、他方の端であるトランジスタＴｒ４のドレインには、端子１４と抵抗Ｒ１１が接続されている。端子１４は、アンテナ２と接続され、送信電力がアンテナ２に出力される。抵抗Ｒ１１は、他端を端子１６と接続されており、トランジスタＴｒ１〜Ｔｒ４を駆動するためのバイアスが入力される。
【００２６】
トランジスタＴｒ１〜Ｔｒ４の各々のゲートには、抵抗Ｒ１〜Ｒ４が接続されている。抵抗Ｒ１〜Ｒ４は、端子１１ｂと接続されている。端子１１ｂには、ＴＤＭＡ方式により、トランジスタＴｒ１〜Ｔｒ４をオン／オフするための時分割された電圧が入力される。
【００２７】
すなわち、トランジスタＴｒ１〜Ｔｒ４は、端子１１ｂに入力される電圧によってオン／オフされる。そして、端子１１ａに入力される送信電力を、アンテナ２に出力する。
【００２８】
スイッチ１２は、トランジスタＴｒ５〜Ｔｒ９、抵抗Ｒ５〜Ｒ９を有している。トランジスタＴｒ５〜Ｔｒ９は、電界効果トランジスタであり、例えば、ＪＦＥＴやＨＥＭＴである。
【００２９】
トランジスタＴｒ５〜Ｔｒ９は、ソース／ドレイン端子において、直列に多段接続されている。直列に多段接続されたトランジスタの一方の端であるトランジスタＴｒ５のソースには、端子１４と抵抗Ｒ１１、及びスイッチ１１のトランジスタＴｒ４が接続されている。端子１４は、アンテナ２と接続され、受信される受信電力が入力される。また、他方の端であるトランジスタＴｒ９のドレインには、端子１２ａと抵抗Ｒ１２が接続されている。端子１２ａは、受信機６と接続され、受信機６には、アンテナ２によって受信される受信電力が、トランジスタＴｒ５〜Ｔｒ９を介して入力される。抵抗Ｒ１２は、他端を端子１７と接続されており、トランジスタＴｒ５〜Ｔｒ９を駆動するためのバイアスが入力される。
【００３０】
トランジスタＴｒ５〜Ｔｒ９の各々のゲートには、抵抗Ｒ５〜Ｒ９が接続されている。抵抗Ｒ５〜Ｒ９は、端子１２ｂと接続されている。端子１２ｂには、ＴＤＭＡ方式により、トランジスタＴｒ５〜Ｔｒ９をオン／オフするための時分割された電圧が入力される。
【００３１】
すなわち、トランジスタＴｒ５〜Ｔｒ９は、端子１２ｂに入力される電圧によってオン／オフされる。そして、アンテナ２によって受信された受信電力を、受信機６に出力する。
【００３２】
検波回路１３は、ダイオード１３ａ及び素子１３ｂ，１３ｃを有している。ダイオード１３ａのアノードは、トランジスタＴｒ７のドレイン及び素子１３ｂと接続されている。ダイオード１３ａのカソードは、素子１３ｃ及び端子１３ｆと接続されている。端子１３ｆは、積分器３と接続される。
【００３３】
素子１３ｂ，１３ｃの他端は、端子１３ｄ，１３ｅと接続されている。素子１３ｂ，１３ｃは、例えば、抵抗やインダクタであり、端子１３ｄ，１３ｅに供給されるバイアス電圧をダイオード１３ａに供給する。
【００３４】
トランジスタＴｒ５〜Ｔｒ９は、電界効果トランジスタの特性により、オフしていてもソース／ドレイン間には、漏れ電流が流れる。すなわち、送信時に、トランジスタＴｒ１〜Ｔｒ４がオンして、端子１１ａに入力される送信電力が端子１４を介してアンテナ２に出力されるとき、その一部は、オフしているトランジスタＴｒ５〜Ｔｒ９に漏洩する。検波回路１３のダイオード１３ａは、その漏洩した送信電力を検波して、積分器３に出力する。
【００３５】
検波回路１３の詳細について説明する。図３は、図１の検波回路の回路図である。図に示すように、検波回路１３は、ダイオード１３ａ、抵抗Ｒ１３，Ｒ１４を有している。抵抗Ｒ１３は、図１の素子１３ｂに対応し、抵抗Ｒ１４は、素子１３ｃに対応している。図３において、端子１３ｄ，１３ｅは、グランドに接続されている。ダイオード１３ａは、アノードにスイッチ１２からの漏洩した送信電力が入力され、端子１３ｆに検波した送信電力相当の電圧を出力する。
【００３６】
図４は、図３の検波回路における送信電力の入出力波形を示した図で、（ａ）は入力電力波形、（ｂ）は出力電圧波形を示した図である。図４（ａ）に示す漏洩した送信電力は、検波回路１３に入力されることによって、図４（ｂ）に示すように検波され出力される。
【００３７】
検波回路の他の例について説明する。図５は、図１の検波回路の他の例の回路図である。図に示すように、検波回路１３は、ダイオード１３ａ、電圧源Ｅ１、コイルＬ１、抵抗Ｒ１５を有している。直列接続された電圧源Ｅ１とコイルＬ１は、図１の素子１３ｂに対応し、抵抗Ｒ１５は、素子１３ｃに対応している。図５において、端子１３ｄ，１３ｅは、グランドに接続されている。ダイオード１３ａは、アノードにスイッチ１２からの漏洩した送信電力が入力され、端子１３ｆに検波した送信電力を出力する。このとき、送信電力は、電圧源Ｅ１によってバイアス電圧が加算され出力される。
【００３８】
図６は、図５の検波回路における送信電力の入出力波形を示した図で、（ａ）は入力電力波形、（ｂ）は出力電圧波形を示した図である。図５（ａ）に示す漏洩した送信電力は、検波回路１３に入力されることによって、図５（ｂ）に示すように検波され、電圧源Ｅ１によるバイアス電圧分加算されて出力される。
【００３９】
ダイオード１３ａのアノード側のバイアス電圧をカソード側に対して高くすることによって、送信電力の検波された検波電圧は嵩上げされ出力される。従って、検波電圧が微小である場合、バイアス電圧によって嵩上げすることにより、例えば、これをモニタする送信電力制御回路内のＡ／Ｄコンバータのダイナミックレンジに適合させることができ、読み取りが可能となる。
【００４０】
図７は、図５の検波回路の出力先にＡ／Ｄコンバータが接続された回路図である。図７において図５と同じものには同じ符号を付し、その説明を省略する。図に示すように、検波回路１３のダイオード１３ａのカソードには、図２で示した積分器３、送信電力制御回路４が接続されている。送信電力制御回路４は、入力段にＡ／Ｄコンバータ４ａを有している。検波回路１３の電圧源Ｅ１の電圧は、ダイオード１３ａのカソードから出力される検波電圧が、Ａ／Ｄコンバータ４ａのダイナミックレンジに適合するように設定される。
【００４１】
図８は、送信電力波形とダイナミックレンジを説明する図である。図に示す波形Ａは、バイアス電圧が印加されない場合の検波電圧の波形である。波形Ｂは、バイアス電圧が印加された場合の検波電圧の波形である。波形Ａに示すように、検波電圧が小さく、Ａ／Ｄコンバータ４ａのダイナミックレンジに適合しない場合、検波電圧はＡ／Ｄ変換されない。そこで、波形Ｂに示すようにバイアス電圧を印加することによって検波電圧を嵩上げし、Ａ／Ｄコンバータ４ａのダイナミックレンジに適合するようにする。そして、検波電圧をＡ／Ｄ変換できるようにする。
【００４２】
このように、ダイオード１３ａにバイアス電圧を印加することにより、送信電力を後段の回路の入力に対して適切な値にして出力することができる。
なお、受信時に、ダイオード１３ａによる受信機６への影響を低減するために、端子１３ｄ，１３ｅに逆バイアスを印加するようにしてもよい。受信時に受信電力がダイオード１３ａに流れ込むことを防ぐことによって、受信機６への影響を低減することができる。
【００４３】
図１の説明に戻る。スイッチ１１及びスイッチ１２の直列に多段接続されるトランジスタの数を、それぞれ４及び５個としているが、この数に限るものではなく、オンしたとき電力が必要以上に減衰することなく伝達され、オフしたとき十分アイソレーションをとることができる個数であればよい。
【００４４】
ダイオード１３ａのアノードの接続位置は、端子１４（アンテナ２）からのトランジスタの接続段数によってカップリング量が変わるため、所望のカップリング量が得られる段数のトランジスタのソース、又はドレイン端子と接続するようにする。また、ダイオード１３ａによる検波時、端子１２ａ（受信機６）からの影響を低減するために、ダイオード１３ａのアノードを、端子１２ａから十分アイソレーションが得られる段数を経たトランジスタのソース、又はドレインと接続するようにする。
【００４５】
このように、端子１４（アンテナ２）と端子１２ａ（受信機６）の間に、直列に多段接続されたトランジスタＴｒ５〜Ｔｒ９の１つにダイオード１３ａを接続し、トランジスタＴｒ１〜Ｔｒ４からトランジスタＴｒ５〜Ｔｒ９に漏洩する送信電力を検波するようにした。これにより、漏洩する送信電力の出力を検波回路１３に切替えるためのスイッチが不要となり、受信時における受信電力の損失が低減し、それに伴う受信感度の影響を低減することができる。また、スイッチが不要になったことにより、回路を小型、低消費、低コストにすることができる。
【００４６】
また、図１０で示したようなカプラ１０２ｂなどのカップリング素子（コンデンサやカプラ）を用いる必要がないので、回路を小型化することができ、送信電力の劣化を防ぐことができる。
【００４７】
また、ダイオード１３ａにショットキーバリアダイオードで構成すると、スイッチ１１，１２と同一の半導体基板上に形成することが可能になり、回路を小型化することができる。
【００４８】
また、図１において、スイッチ１１を送信用、スイッチ１２を受信用としているが、例えば、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）端末のような送受信同時動作の携帯電話システム（ＣＤＭＡシステム）に適用する場合には、スイッチ１１を送受信用、スイッチ１２をメンテナンス用（試験、調整用）として用いることができる。この場合、メンテナンス側のスイッチに検波回路を接続すると同様の効果が得られる。
【００４９】
なお、図１に示した各素子は、端子１１ａ，１１ｂ、端子１２ａ，１２ｂ、端子１４〜１７を介して他の回路と接続するように説明したが、直接他の回路と接続するようにしてもよい。
【００５０】
ところで、携帯電話には、例えば、デュアルモードなど、複数の周波数に対応して使用できるものがある。この場合、図１で示したアンテナ切り替え回路１のスイッチ１１，１２を、対応する周波数の数分設けるようにする。また、携帯電話では、送信電力の大きさなどを試験、調整をしたい場合がある。この場合、アンテナと接続される外部端子を設ける。そして、アンテナと外部端子との間にスイッチを挿入し、試験、調整時に、アンテナに出力される信号を外部端子に出力できるようにする。
【００５１】
図９は、外部端子を有した複数の周波数に対応したアンテナ切り替え回路の回路図である。図に示すようにアンテナ切り替え回路は、スイッチ２１〜２５、端子２６〜３０、外部端子３１、及び検波回路３２を有している。
【００５２】
スイッチ２１，２２及び端子２７，２８は、図１のスイッチ１１，１２及び端子１１ａ，１２ａに対応している。また、スイッチ２３，２４及び端子２９，３０は、図１のスイッチ１１，１２及び端子１１ａ，１２ａに対応している。ただし、端子２７，２９には、例えば、９００ＭＨｚ、１８００ＭＨｚの異なる周波数の送信電力が入力される。スイッチ２２，２４は、受信される受信電力の周波数に応じてオン／オフする。端子２８，３０には、受信される受信電力の周波数を処理できる受信機が接続される。端子２６は、図１のアンテナと接続される端子１４に対応している。
【００５３】
検波回路３２は、受信電力を受信機に出力するスイッチの少なくとも１つのスイッチに接続するようにする。図９において検波回路３２は、スイッチ２４に接続されている。端子２９からの送信電力を検波する場合、スイッチ２４を開いた状態で検波すればよい。また、端子２７からの送信電力の漏れを検波する場合も、スイッチ２４を開いて検波すればよい。もちろん、検波回路３２は、受信電力を受信機に出力する各スイッチに設けるようにしてもよい。
【００５４】
【発明の効果】
以上説明したように本発明では、送信時にスイッチから複数の電界効果トランジスタに漏洩する送信電力を、電界効果トランジスタに接続される検波回路によって検波する。これにより、漏洩する送信電力の出力を検波回路に切替えるための切り替えスイッチが不要となり、受信感度に影響を与えることなく送信電力を検波することができる。また、回路を小型、低消費、低コストにすることができる。
【図面の簡単な説明】
【図１】図２のアンテナ切り替え回路の回路図である。
【図２】アンテナ切り替え回路を適用した携帯電話の回路図である。
【図３】図１の検波回路の回路図である。
【図４】図３の検波回路における送信電力の入出力波形を示した図で、（ａ）は入力電力波形、（ｂ）は出力電圧波形を示した図である。
【図５】図１の検波回路の他の例の回路図である。
【図６】図５の検波回路における送信電力の入出力波形を示した図で、（ａ）は入力電力波形、（ｂ）は出力電圧波形を示した図である。
【図７】図５の検波回路の出力先にＡ／Ｄコンバータが接続された回路図である。
【図８】送信電力波形とダイナミックレンジを説明する図である。
【図９】外部端子を有した複数の周波数に対応したアンテナ切り替え回路の回路図である。
【図１０】従来の携帯電話の送信出力検波回路を示した回路図である。
【図１１】従来の送信電力増加を抑えた送信出力検波回路を示した回路図である。
【図１２】従来の送信電力増加を抑えた送信出力検波回路を示した他の例の回路図である。
【符号の説明】
１……アンテナ切り替え回路、２……アンテナ、３……積分器、４……送信電力制御回路、４ａ……Ａ／Ｄコンバータ、５……送信機、５ａ……電力増幅器、５ｂ……アイソレータ、６……受信機、１１，１２，２１〜２５……スイッチ、１３，３２……検波回路、１３ａ……ダイオード、１３ｂ，１３ｃ……素子、１３ｄ〜１３ｆ，１４〜１７，２６〜３１……端子、Ｔｒ１〜Ｔｒ９……トランジスタ、Ｒ１〜Ｒ１５……抵抗、Ｌ１……コイル、Ｅ１……電圧源。
【図１】
2004363862.tif 000003
【図２】
2004363862.tif 000004
【図３】
2004363862.tif 000005
【図４】
2004363862.tif 000006
【図５】
2004363862.tif 000007
【図６】
2004363862.tif 000008
【図７】
2004363862.tif 000009
【図８】
2004363862.tif 000010
【図９】
2004363862.tif 000011
【図１０】
2004363862.tif 000012
【図１１】
2004363862.tif 000013
【図１２】
2004363862.tif 000014